【手続補正書】
【提出日】平成20年9月29日(2008.9.29)
【手続補正１】
【補正対象書類名】明細書
【補正対象項目名】全文
【補正方法】変更
【補正の内容】
【書類名】    明細書
【発明の名称】  電気と水の通常の危険概念がなく風呂釜の湯の中の水ポンプを水隔壁の外部モ一タ一で磁極性磁気力により回転作動させる強制循環熱交換式と排気熱の再熱交換式の併用による風呂湯沸し熱交換効率倍増機。
【特許請求の範囲】
【請求項１】  風呂釜の熱交換効率倍増機体(１)の湯の中に設置した揚水ポンプ体(６)、及びこれと連動する強制循環ポンプ体(４)を水隔壁の外部に設置したモ一タ一で、着磁永久磁石円盤と電気磁石円盤の対面による磁極性磁気力で回転作動させる電気磁石円盤は，Ｕ字形の電気磁石の両端を，それぞれ半円盤状に形成し合わせて円盤状とし同一表面にＮ極性磁石面(11)とＳ極性磁石面(12)を持ち，電気磁石コイル(13)の巻数や電流を増すことによって磁極性磁気力を強く変えられ，種類によって違う水ポンプの必要回転力に対応できる電気磁石円盤によって成る風呂湯沸し熱交換効率倍増機。
【請求項２】  風呂釜内部の水を強制循環式にし，熱交換のときの風呂釜の水隔壁全周の弱沸騰現象による水の部分高温発生をなくして風呂釜発生熱と水の温度差を常に最大にし、熱交換効率の条件を最大にし更に風呂釜より排気される高温で大量の排気熱を排気筒内に設置したヒ一タ一パイプコイル(17)内に揚水して再熱交換式として風呂水に還元する熱交換効率倍増機(１)は、磁極性磁気力で湯の中のポンプ体を回転作動するモ一タ一が湯の隔壁の外にあるため，高温の湯の中でもモ一タ一の過熱概念のない強制循環ポンプ体(４)及び揚水ポンプ体(６)によって成り，風呂釜のとろ火燃焼や停電のときの両ポンプが回転作動していないときは通常の自然対流隙間のある循環パイプとなる電気と水の通常危険概念のない構造の請求項１に記載の熱交換効率倍増機。
【請求項３】  風呂釜の水循環パイプに取り付けた熱交換効率倍増機(１)内の湯の中に設置した揚水ポンプ体(６)を水隔壁の外部に設置したモ一タ一で回転作動させるために、従来の縦型の揚水ポンプを電気モーターと揚水ポンプ体(６)に切り離し、揚水ポンプ体(６)の回転軸に同一表面がＮ極性磁石面(９)とＳ極性磁石面(10)を持つ着磁永久磁石円盤を揚水ポンプ円盤ギヤに貼り付けて一緒に回転するようにして取り付け、熱交換効率倍増機(１)の水ポンプ室床に着磁永久磁石円盤を下に向けて設置し、円盤下の床隔壁の外部に設置したモーターの回転軸先端には、同一表面にＮ極性磁石面(11)とＳ極性磁石面(12)を持つ電気磁石円盤を取り付け、水ポンプ室の床隔壁の上下から対面させてモーターを回転すると水ポンプ室内の揚水ポンプ体(６)の回転軸に取り付けた着磁永久磁石円盤も磁極性磁気力で受動回転し取り付けている揚水ポンプ体(６)が回転作動し揚水ポンプ体(６)の揚水ポンプ円盤ギヤ(７)と噛み合って並ぶように設置した強制循環ポンプ体(４)の回転軸に取り付けた強制循環円盤ギヤ(５)も連動し強制循環ポンプ体(４)も回転作動する、ジョイント物体のない回転伝達機構による高温の湯の中でもモーターの過熱概念がなく電気と水の通常危険概念のない構造の水ポンプによって成る請求項１又２に記載の風呂湯沸し熱交換効率倍増機。
【発明の詳細な説明】
【０００１】
【発明の属する技術分野】    本発明は風呂釜の発生熱と風呂水との熱交換効率に関するものである。
【０００２】
【従来の技術】    従来の風呂釜の発生熱と風呂水の湯沸し熱交換形態は、風呂釜の隔壁内部の静止している水が風呂釜の発生熱と隔壁全周で熱交換されるとき弱沸騰現象による部分高温となり風呂釜の上側循環パイプより水槽へ出る自然対流循環であり隔壁全周で接している水が部分的な高温度となるため、発生熱と水との温度差が小さくなり熱交換効率の条件である加熱温度と加熱される物の温度差は大きいほど比例して熱交換が活発になることに熱交換効率としての形態が合っておらず風呂釜発生熱は水と十分に熱交換しない高温のまま風呂釜より排気筒へ大きな損失熱量として大気へ放散されていた。
【０００３】
【発明が解決しようとする課題】    風呂釜の発生熱と風呂水との熱交換効率を最大にするには、風呂釜の発生熱と風呂釜の隔壁内の水の温度差が常に最大になっていることが条件となり、このためには風呂釜の水の隔壁の全周に生ずる弱沸騰現象を無くする必要があった。更に風呂釜より出る高温の排気熱量を風呂水に再熱変換して取り込み熱交換効率を最大にする課題があった。
【０００４】
【課題を解決する手段】    風呂釜の水隔壁全周へ、熱交換に伴って発生する弱沸騰現象を無くするために、水の静止状態の自然対流から水を強制循環ポンプで強制循環し風呂釜の水隔壁全周には常に風呂水の全体温度が循環するようにした。又排気熱を風呂水に再熱交換させるためにサブヒーターの排気筒内に設置した肉厚のヒーターパイプコイルの導水管に揚水ポンプで揚水し再熱交換させ風呂水に循環させた。又、強制循環ポンプと揚水ポンプは高温の中でもモーターの過熱概念がなく長時間の回転作動を続ける形態でなければならず、その手段として従来の縦型の揚水ポンプを電気モーターと揚水ポンプ体に切り離した状態にし、水ポンプ体を設置した水ポンプ室を上段に、モーターを設置したモーターボックスを下段にして重ね合せて一体とし、揚水ポンプ体の水羽根回転軸の水羽根の下部に同一表面にＮ極性磁石面とＳ極性磁石面を持つ着磁永久磁石円盤を取り付け、モーター回転軸先端には同一表面にＮ極性磁石面とＳ極性磁石面を持つ電気磁石円盤を取り付け、水ポンプ室の床の隔壁を隔てて上下に平面対面させモーターを回転すると磁極性磁気力で水ポンプ室の揚水ポンプ水羽根が回転作動する様にし熱交換効率倍増機とした。
【０００５】
【作用】    熱交換効率倍増機の水ポンプ室内の揚水ポンプと強制循環ポンプの回転構造は、前述の、水ポンプ室の床の隔壁を隔てて上下に対面させた着磁永久磁石円盤と電気磁石円盤のモーターを回転すると対面ずれかかりを生じながらも、ずれた極性面分の反発力と引き合い力が同時に起こり磁石円盤同志は前後の動きが固定されているため曲進的な捩り力となって対面位置ずれを復元する、このバランスを繰り返しながらモーターの電気磁石円盤の回転力は揚水ポンプの着磁永久磁石円盤を受動回転させ揚水ポンプは回転作動する。揚水ポンプと円盤ギヤで連動する強制循環ポンプも回転作動する。これにより電気と水の通常危険概念のない構造の安全な風呂湯沸し熱交換効率倍増機が完成された。
【０００６】
【実施例】    本発明を図面の実施例の第１図〜第８図にしたがって説明すると、第１図は湯沸し熱交換効率倍増機(１)の斜視図でＡ-Ａ切断線を示す。
【０００７】  第２図に示す実施例は、１図のＡ-Ａ切断線を切断した熱交換効率倍増機(１)の中央正面要部断面図で水ポンプ室とモーターボックス(３)が重なっており揚水ポンプ体(６)の着磁永久磁石円盤とモーターの電気磁石円盤が水ポンプ室の床を隔てて上下に平面対面している。
【０００８】  第３図に示す実施例は、モーター回転軸に取り付ける電気磁石円盤の斜視図であり、電流を通すと半円盤がそれぞれＮ極性磁石面(１１)とＳ極性磁石面(１２)になる。
【０００９】  第４図に示す実施例は、熱交換効率倍増機(１)の揚水ポンプ体(６)と強制循環ポンプ体(４)の水羽根部を取り出した斜視図であり揚水ポンプギヤ(７)の円盤裏にＮ極性磁石面(９)とＳ極性磁石面(１０)を持つドーナツ型の着磁永久磁石円盤を張りつけ円盤外周のギヤで強制循環ポンプ体(４)も連動し回転作動する。
【００１０】  第５図に示す実施例は、熱交換効率倍増機(１)の斜視図でありＢ-Ｂ切断線を示す。
【００１１】  第６図に示す実施例は、第５図のＢ-Ｂ切断線を切断した強制循環ポンプ体(４)と揚水ポンプ体(６)の配置を示す要部断面図である。
【００１２】  第７図に示す実施例は、風呂湯沸し熱交換効率倍増機(１)の熱交換サブヒーター(１６)の要部断面図でありヒーターパイプコイル(１７)と風呂釜循環パイプへの接続ナットを示す。
【００１３】  第８図に示す実施例は、風呂の湯沸し熱交換効率倍増機(１)とその熱交換サブヒーター(１６)を風呂釜と水槽の循環パイプへ取り付けた関係図である。
【図面の簡単な説明】
【図１】    湯沸し熱交換効率倍増機(１)の斜視図で切断線Ａ-Ａを示す。
【図２】    １図の切断線Ａ-Ａを切断した中央正面要部断面である。
【図３】    モーター回転軸先端に取り付けられる電気磁石円盤を取り出した斜視図である。
【図４】    水ポンプ室より取り出した揚水ポンプ体(６)で、揚水ポンプ体(６)が磁極性磁気力で回転作動され、揚水ポンプギヤ(７)円盤で連動される強制循環ポンプ体(４)も回転作動する説明であります。
【図５】    熱交換効率倍増機(１)の斜視図で切断線Ｂ-Ｂを示す。
【図６】    ５図の切断線Ｂ-Ｂを切断した強制循環ポンプ体(４)と揚水ポンプ体(６)の配置を示す要部断面平面図である。
【図７】    湯沸し熱交換効率倍増機(１)の熱交換サブヒーター(１６)の要部断面図である。    
【図８】    湯沸し熱交換効率倍増機(１)と熱交換サブヒーター(１６)を風呂釜の循環パイプへ取り付けた関係図である。
【符号の説明】
１  熱交換効率倍増機            ９   着磁永久磁石Ｎ極性面
２  揚水パイプニップル        １０  着磁永久磁石Ｓ極性面
３  モーターボックス           １１  電気磁石Ｎ極性面
４  強制循環ポンプ体          １２  電気磁石Ｓ極性面
５  強制循環ポンプギヤ        １３    電磁石コイル
６  揚水ポンプ体              １４    温水パイプ
７  揚水ポンプギヤ            １５    揚水パイプ
８  水ポンプ室仕切板          １６    熱交換サブヒーター
１７  ヒーターパイプコイル